Podtech/llm-jp-corpus-v4-ja_patent huggingface dataset:
(57)【要約】【課題】椅子に座ったままで使用者が，または介護者が被介護者に対しシャワーなどで容易に股間等を洗浄できる風呂用椅子【解決手段】坐部１を左右一対の楕円柱形とする左右の坐部の空間を洗い場床まで広げる脱着可能な背もたれ５をつけ、使用者が身体状況により選択できるようにする底板２を左右一対の坐部１の先端から後部約１０センチまで四角状に広げ，使用者の後方転倒を防止する【選択図】図１
0003125769.tif 000002
【実用新案登録請求の範囲】
【請求項１】
風呂の洗い場または洋式浴室のバスタブ内において使用できる風呂用椅子
【請求項２】
本考案は、楕円柱の左右一対の坐部と底板及び脱着可能な背もたれより成リ，左右の坐部は楕円柱の前方内側がが少しくびれて空間が開いており坐部の間は，底板まで空間となっている風呂用椅子
【請求項３】
本考案の背もたれ部は，両端が細くなっており左右の坐部の後ろにある穴に差し込むことができ、底板は，坐部の先端から坐部の後ろに１０センチほど広がっている四角形で，幼児がふざけて背もたれ部にのけぞっても倒れる心配のない風呂用椅子
【考案の詳細な説明】
【技術分野】
【０００１】本考案は風呂用椅子に関する
【背景技術】
【０００２】従来の風呂用椅子は，単に腰を掛けるだけのものや、トイレの便座のようにＵ字形の坐部になっているもの，または実用新案公開平６−７７６８７のように腰を掛ける坐部が左右一対に分かれているものの、中空部が洗い場床まで達していないものなどが公知である
【考案の開示】
【考案が解決しようとする課題】
【０００３】前記公知の腰掛けるだけの椅子では股間が洗えない，またＵ字形の座椅子では，介護者が被介護者を背部から洗えない
また実用新案公開平６−７７６８７の椅子は左右の坐部の中空部が洗い場床まで達しておらずシャワーなどで股間を洗浄するのに不便である
【課題を解決するための手段】
【０００４】本考案は風呂洗い場だけでなく，洋式浴室のバスタブ内に置くことができる【０００５】本考案は楕円柱形をした左右一対の坐部１と底板２及び脱着可能な背もたれ５より成る
【考案の効果】
【０００６】本考案は上記の如く楕円柱形の坐部１が左右一対になっており左右の坐部の中空が，洗い場の床まで達しているのでシャワーなどで股間を洗うのに適している。また介護者が被介護者を背部から洗うことも容易である【０００７】本考案の底板２は左右一対の楕円柱形坐部１先端から同座部後部約１０センチうしろまで四角形の広がりがあり，幼児がふざけて背もたれ５にのけぞっても倒れることがない【０００８】本考案の背もたれ５は、一対の楕円柱形坐部１の後部の穴６に背もたれの両端を差し込むことができ，脱着が容易である
【考案を実施するための最良の形態】
【０００９】本考案の左右一対の楕円柱形坐部１と底板２はプラスッチクの一体成型で固定されている【００１０】本考案の背もたれ５は，人体腰部のくびれに合わせて若干後部に反り返っているので、坐部１に深く腰掛けても背もたれ５が背中を押すことがない【００１１】本考案の左右一対の楕円柱形坐部１の内側は空洞で底板がなく掛け湯は、水はけ口４より洗い場の床に流れるようになっている【００１２】本考案の左右一対の楕円柱形坐部１は前方内側が互いに若干くびれて空間が広がっており、シャワーなどで股間を洗い易くなっている
【実施例】
【００１３】本考案の風呂用椅子は，背もたれ５をつけても背もたれなしでも使用者の都合によって使用できる【００１４】従来、洋式浴室は洗い場がなく、バスタブの中で立って洗うかバスタブに尻を着いて洗うかで，不便であったが、本考案の風呂用椅子をバスタブ内に置けば安定して身体各部を洗うことができる
【図面の簡単な説明】
【００１５】
【図１】本考案の全体を示す斜視図
【図２】本考案に人体を座らせた側面図
【図３】本考案の全体を示す正面図
【図４】本考案の背もたれ部分の斜視図
【図５】本考案の背もたれをはずした状態の平面図
【図６】本考案の左右一対の楕円柱形坐部の片方を裏返して内部をわかりやすく示した斜視図
【符号の説明】
【００１６】１．楕円柱形坐部
２．底板
３．坐部表面、開口部
４．坐部側面下部、開口部
５．背もたれ部
６．背もたれ差込穴
７．背もたれ差込穴の押さえ板
【図１】
0003125769.tif 000003
【図２】
0003125769.tif 000004
【図３】
0003125769.tif 000005
【図４】
0003125769.tif 000006
【図５】
0003125769.tif 000007
【図６】
0003125769.tif 000008
【手続補正書】
【提出日】平成18年7月4日(2006.7.4)
【手続補正１】
【補正対象書類名】実用新案登録請求の範囲
【補正対象項目名】全文
【補正方法】変更
【補正の内容】
【実用新案登録請求の範囲】
【請求項１】
楕円柱の左右一対の坐部と底板及び脱着可能な背もたれ部より構成され、左右の坐部は楕円柱の前方内側がが少しくびれて開いており坐部の間は，底板まで空間となっていることを特徴とする風呂用椅子。
【請求項２】
背もたれ部は，両端が細くなっており、左右の坐部の後ろにある穴に差し込むことができ、底板は四角形で，その横幅は坐部の左右の端と同じで縦幅は，前方が坐部の先端に接しているが、後方が坐部の後端より更に後ろに広がっていることを特徴とする，請求項１記載の風呂用椅子。
(57)【要約】      （修正有）【課題】本考案は、水に浮き、係留杭の周りを自由に回転する、防舷材の提供。【解決手段】固定式防舷材は、係留した場合接触しキズがつく。従って、防舷材を回転させ接触時の衝撃を吸収すること。また、発泡ウレタンで外周を軟質塩ビで被服することにより、水に浮き、耐久性を増すこと。【選択図】図３
0003125763.tif 000002
【実用新案登録請求の範囲】
【請求項１】
係留杭より、内径を２０ｍｍ大きくし防舷材が回転する。材質は、発泡ウレタンで外周を軟質塩ビで被服することにより、水に浮き、耐久性が優れていることを特徴とする防舷材。
【考案の詳細な説明】
【図１】
0003125763.tif 000003
【手続補正書】
【提出日】平成18年7月3日(2006.7.3)
【手続補正１】
【補正対象書類名】実用新案登録請求の範囲
【補正対象項目名】全文
【補正方法】変更
【補正の内容】
【実用新案登録請求の範囲】
【請求項１】
係留杭に嵌合せしめて使用する緩衝機能を持った中空の略円柱状の防舷材であり、防舷材の中空部の内径が係留杭の外径より約２０ｍｍ大きく、母材として発泡ウレタンを使用し、発泡ウレタンの外周に被覆材として軟質塩化ビニールを接着又は溶着してなることを特徴とする防舷材。
【手続補正２】
【補正対象書類名】明細書
【補正対象項目名】全文
【補正方法】変更
【補正の内容】
【考案の詳細な説明】
【技術分野】
【０００１】  本考案は、舟艇を係留するための係留杭に装着可能な防舷材に関する。
【背景技術】
【０００２】  舟艇を係留するための係留杭には、従来、固定式のゴム材が装着されているものが一般的であり、舟艇が接触すると船体の周囲に傷が付きやすく、ゴムとこすれることにより黒ずむという不具合があった。
【考案の開示】
【考案が解決しようとする課題】
【０００３】  既存の係留杭に簡便に装着可能な、安価で、緩衝効果に優れ、接触しても船体の周囲に傷や汚れが付きにくい防舷材を提供する。
【課題を解決するための手段】
【０００４】  本考案は、係留杭に対して直径差で２０ｍｍ程度の隙間を持たせて中空円柱状の防舷材を嵌合して装着させることにより、防舷材を回転自在にし、かつ衝撃吸収効果の大きい発泡ウレタンを母材に使用し、外表面を軟質塩化ビニールで被覆することにより上記課題を解決した。
【考案の効果】
【０００５】  係留杭の直径に合わせた防舷材を準備すれば、簡単に防舷材を係留杭に装着することができ、水に比べ比重の小さい発泡ウレタンが母材なので、水に浮き、水面高さが変化しても船体の適切な高さ位置に防舷材を当接させることができる。【０００６】  また、回転自在な中空円柱状の防舷材なので、接線方向の力を回転することにより逃がし、摩擦によって船体周辺に付く傷を軽減することができる。【０００７】  母材に発泡ウレタンを使用し、外表面を軟質塩化ビニールで被覆することにより、衝撃吸収効果が大きく、船体周辺に傷や汚れが付きにくく、しかも耐候性・耐久性の高い防舷材とすることができる。
【考案を実施するための最良の形態】
【０００８】  図１に本考案による防舷材の使用説明図を示す。
防舷材２の構成は、図２および図３に示すように中空の円柱状であり、母材２ｂは発泡ウレタンであり、通常の例では厚さ１ｃｍ程度のシート状の部材を巻き重ねて、所定の内径および外径にしたものである。外部被覆材２ａは厚さ約２ｍｍの軟質塩化ビニール、内部被覆材２ｃは厚さ約２ｍｍの軟質又は硬質塩化ビニールである。中空部５の直径は、係留杭の直径に対し、約２０ｍｍ大きくすると、装着作業性が良く、スムーズに回転できる。
【図面の簡単な説明】
【０００９】
【図１】係留杭に本考案による防舷材を装着して使用する際の説明図である
【図２】本考案による防舷材の平面図である
【図３】本考案による防舷材の断面図である（図２のＡ−Ａ断面）
【符号の説明】
【００１０】１    係留杭
２    防舷材
２ａ  外部被覆材
２ｂ  母材
２ｃ  内部被覆材
３    舟艇
４    水面
５    中空部
【手続補正３】
【補正対象書類名】図面
【補正対象項目名】全図
【補正方法】変更
【補正の内容】
【図１】
0003125763.tif 000004
【図２】
0003125763.tif 000005
【図３】
0003125763.tif 000006
(57)【要約】      （修正有）【課題】偏平足になると足部疼通（足関節周囲両果下部）足底胼胝形成（距骨骨頭部）歩行、作業障害・疲労などが起こる。そこでこれらの症状を軽減・改善するために骨、関節、靭帯のアライメントを正常な位置に戻すことができるサポーターを提供する。【解決手段】下腿骨近位（腓骨頭）から中足骨関節（ＭＰ関節）までとするサポーターＩで足底内側アーチ部（土踏まず）１に高弾性素材等の凸を使い生理的内側縦アーチを作る。次に２ＡはＩより収縮のないゴムバンドで距腿関節部下腿内、外果の足首周辺を締める。次に２Ｂだが腓骨頭部分で２Ａと同じ素材で下腿上部を覆って締めつける。続いて２Ｃだがこれも２Ａと同じ素材で踵骨の内側部から斜め上方下腿の下・中１／３境界部に向って上方し腓骨頭まで螺旋状に下腿を包みながら締めつける。【選択図】図１
0003125785.tif 000002
【実用新案登録請求の範囲】
【請求項１】
距腿関節部の緩みの影響で腓骨頭が図２−ｂのように後外側方に傾くので、図１−２Ｂで腓骨頭の位置を正常に戻す特徴とするサポーターである。
【請求項２】
距腿関節部（脛骨・腓骨・距骨）を締めつけ、その周囲の靭帯、筋肉等の緩みを締める特徴とするサポーターである。
【請求項３】
下腿近位端から中足骨関節までとするサポーターで、内側縦アーチ部に高弾性の凸を作り生理的湾曲をつくる特徴の矯正機能付きサポーターである。
【請求項４】
距腿関節部の緩みの影響で下腿骨の脛骨・腓骨が図２−ｂのように後外側に傾くが、図１−２Ｃで正常の位置に戻す特徴とするサポーターで、二次的作用で図１−Ｉと２Ｃでは収縮の強さ、圧が違うため浮踵・ムクミの予防・改善につながる。
【考案の詳細な説明】
【技術分野】
【０００１】
本考案は静力学的作用によって生じた偏平足の原因である下腿骨・足関節・足部靭帯を正常のアライメントに戻すサポーターに関するものである。
【背景技術】
【０００２】
偏平足になると、偏平足用の体操、靴用の足底板、内側縦アーチ部に凸が入ったサポーターがあった。
【０００３】
【特許文献１】特開２００５−２５６２５２号公報
【特許文献２】特開平１１−１３１３０３号公報
【考案の開示】
【考案が解決しようとする課題】
【０００４】
偏平足用の体操は時間、スペースが必要になってくる。靴用の足底板も靴を履く時しか効果がない。内側縦アーチ部に凸が入ったサポーターはその部分は矯正されてもその周囲の下腿骨・足関節・靭帯までは効果が少ない。
【課題を解決するための手段】
【０００５】
本考案はスペースが必要なくサポーターを装着している間、内側縦アーチ部分だけではなく下腿骨から中足関節まで広範囲までの矯正を可能とするサポーターで、内側縦アーチ部の凸を装着し生理的アーチを形成し足関節部では靭帯の緩みを締めつけ距腿関節の骨・周囲の靭帯のアライメントを整え、下腿骨に関しては図１−２Ｃで脛骨・腓骨のバランスも整える、下腿骨から中足骨関節までの広範囲サポーターである。
【考案の効果】
【０００６】
上述の様に本考案の偏平足矯正機能付きサポーターは内側縦アーチ部、距腿関節部、下腿骨近位端部、腓骨頭といった下腿骨、足関節、中足関節までの広範囲サポーターで装着している間中矯正してくれて、二次的作用で足のムクミ、浮踵も改善できるサポーターである。
【考案を実施するための最良の形態】
【０００７】
図１−Ｉは一般的な市販のサポーターと同様の素材を使って下腿骨近位から中足骨関節までを覆う。
【０００８】
図１−１は内側縦アーチ部（土踏まず）高弾性素材、具体的にはウレタンゴムなどを使い凸を作り、図１−Ｉと土踏まずあたりで縫い合わせ、生理的内側縦アーチを形成する。
【０００９】
図１−２Ａは距腿関節部で図１−Ｉにより収縮性の少ないゴムバンドを使い、腓骨外果を下行しアキレス腱付着部を通り脛骨内果を上行し腓骨外果まで戻る。距腿関節部を包むように締める。これによって緩んでいる骨・関節・靭帯を締める効果がある。
【００１０】
図１−２Ｂでは距腿関節部の歪みの影響で腓骨頭が後外側方に傾く。そこで上述で述べた図１−２Ａと同じ収縮性の少ないゴムバンドで腓骨頭周囲で締めつけ後外側に傾いているのを正常の位置に戻す。
【００１１】
図１−２Ｃも上述で述べたように距腿関節の影響で腓骨と脛骨が中枢に向って行くのに従って広がっていく（図２−ｂ参照）そこで図１−２Ａと同じ収縮の少ない素材で踵骨内側から下腿骨中・下１／３境界部辺りを上方し螺旋状に下腿を包み腓骨頭まで上方する。それによって脛骨、腓骨を正常の位置に戻すだけではなく、図１−Ｉと図１−２Ｃでは収縮の圧の違いから血行促進され、ムクミ、浮踵といったものを予防・改善される。
【図面の簡単な説明】
【００１２】
【図１】本考案の偏平足矯正機能付きサポーターの実施例を示す内側面・正面・外側面の図である。
【図２】腓骨と脛骨のａ正常時、ｂ異常時の比較図である。
【符号の説明】
【００１３】
Ｉ  腓骨頭部から中足関節までとする広範囲のサポーター全域
１凸を使った内側縦アーチ部
２Ａ  Ｉより収縮の少ない足関節部のゴムバンド
２Ｂ  Ｉより収縮の少ない腓骨頭部のゴムバンド
２Ｃ  Ｉより収縮の少ない下腿部の螺旋状ゴムバンド
【図１】
0003125785.tif 000003
【図２】
0003125785.tif 000004
【手続補正書】
【提出日】平成18年7月25日(2006.7.25)
【手続補正１】
【補正対象書類名】実用新案登録請求の範囲
【補正対象項目名】全文
【補正方法】変更
【補正の内容】
【実用新案登録請求の範囲】
【請求項１】
下腿骨近位端から中足骨関節までとするサポーターで距腿関節部を締め付け、腓骨の位置を矯正、内側縦アーチ部に凸をつくる事を特徴とするサポーター
(57)【要約】      （修正有）【課題】車内で食事するとき、飲食用諸物を、膝の上（手元）に、斜めでも倒れないようにまとめて置くテーブルの提供。【解決手段】カップ用の穴５、６など複数個設けたほぼ四角状の上板２と、外周が、上板２と、概同状の下板３を有し、上板２と下板３の間に仕切板１０を立てて下を固着し、上板２と下板３の１辺の縁沿いに上下に出張った立板４を固定して形成する。かくして、飲食用諸物をひとまとめに置け、カップは斜めでも倒れない等の機能を有する。【選択図】図１
0003125773.tif 000002
【実用新案登録請求の範囲】
【請求項１】
複数の穴を設けたほぼ四角状の上板を備え、外周が上板と相似する下板を設け、上板と下板の間に、仕切板を立てて１体化し、上板と下板の一辺に沿って上下に出張った立板を設けたことを特徴とする穴付テーブル
【考案の詳細な説明】
【技術分野】
【０００１】  本考案は、穴（ホール）を設けたテーブルに関するものである。
【背景技術】
【０００２】  車全盛の世にあって、車内で食事をするとき、飲食物のカップやパック等の飲食用諸物は、精々ダッシュボードやカップホルダーの上に置く程度で、家庭の食卓のように、手元にまとめて置ける状態ではなかった。
【考案の開示】
【考案が解決しようとする課題】
【０００３】  カップや食品のパックは、手元にひとまとめにして置きたい、カップは斜めになっても倒れない、食器・調味料などのポケットを設けたい、衣服を汚さない、食膳のムードを出したい等の課題を解決しようとするものである。
【課題を解決するための手段】
【０００４】  本考案は、カップが嵌る程度の大きさの穴を２〜３個有するほぼ四角状の上板と下板を繋ぐ形で間に仕切板を立ててポケットを形成し、手前（使用状態）に、上板と立板の一辺の縁沿いに立板を固着することにより、問題を解決している。
【考案の効果】
【０００５】  食事用諸物を、膝の上にひとまとめに出来る。上板のカップの穴の縁が、カップの中程を支えて、全体が斜めになってもカップが倒れず、汁などがこぼれない。仕切板により空間が出来たので、箸、フォークなどの食器が収納できる。膝の上へ置いて使用するので、衣服が汚れない。膳による食事のムードが出る。裏返すと、書き物が出来るなどの効果がある。
【考案を実施するための最良の形態】
【０００６】  カップ用の丸穴を有する上板と、上板とほぼ同じ外周形状の下板を有し、上板と下板の間に、仕切板を備えて立体化し、ポケットを設ける。上板は、ヒンジを設け、開閉自在とし、鍵を設けて無用に上板が開かないようにする。また、上板と下板の縁の一辺に、立板を設け、立板は上方  と下方へ出張りを有する形態とする。
【実施例】
【０００７】  １は、木又はプラスチックで一体形成された穴付テーブル（全体）、２は、穴５、６、８、出穴７の付いたほぼ四角状の上板、３は、平らな下板、１０は、上板２と下板３の間に立って空間を作る仕切板、４は、上方と下方へ出張りを有し、上板２と下板３の縁一辺に張り付き固定した立板である。１３は、持ち運ぶための取手である。８は箸立用穴、９は鍵である。【０００８】  仕切板１０に囲まれた空間は、箸、フォークなどの食器、調味料などの収納ポケットとなる上板は一辺にヒンジを設け開閉自在と成す。１１ａ．１１ｂは収納ポケットである。【０００９】  本考案の実施例は、上述の如き構成からなるものであるから、穴にカップを置ける、タテ、ヨコを仕切る仕切板は、空間を作って食器スペースを設け得る、立板４の上の出張りは、物の外への転落を防ぎ、下部出張りは、手前を上に上げ全体をほぼ平らにし得る。などの機能がある。
【図面の簡単な説明】
【００１０】
【図１】  本考案の穴付テーブルの実施例を示す全体斜視図である。
【図２】  本考案の上板を開いた状態の斜視図（一部切り欠き）である。
【図３】  本考案の穴の部分を横断する断面図とカップである。
【図４】  使用状態斜視図である。
【符号の説明】
【００１１】１  穴付テーブル                        ８  箸立用穴
２  上板                                ９  鍵
３  下板                              １０  仕切板
４  立板                    １１ａ  １１ｂ  ポケット
５  カップ用穴              １２ａ  １２ｂ  カップ
６  カップ用穴                        １３  取手
７  出張穴
【図１】
0003125773.tif 000003
【図２】
0003125773.tif 000004
【図３】
0003125773.tif 000005
【図４】
0003125773.tif 000006
(57)【要約】【課題】従来の男性用トランクスは伸縮性の少ない素材で作られたゆったりしたトランクスか伸縮性の多い素材で作られたフィットするトランクスでありゆったり感とフィット感の両方を求めることは出来なかった。【解決手段】前身ごろ１を伸縮性の少ない織物素材で前開き部分を設けて縫製し、後ろ身ごろ２を伸縮性の多い編み物素材を使用。３の部分で縫製し裾巻き、ゴムを縫製した男性用トランクス【選択図】図１
0003125775.tif 000002
【実用新案登録請求の範囲】
【請求項１】
伸縮性の少ない素材１と伸縮性の多い素材２で構成された男性用トランクス
【請求項２】
伸縮性の少ない織物素材１を前身ごろに使用し、伸縮性の多い編み物素材２を後ろ身ごろに使用。１と２を縫製した請求項１の男性用トランクス
【考案の詳細な説明】
【考案の詳細な説明】
【技術分野】
【０００１】この考案は性質の異なる素材２種類で構成された男性用トランクスに関する。
【背景技術】
【０００２】従来の男性用トランクスは伸縮の少ない織物素材トランクスや伸縮の多い編み物素材トランクスのような単一素材トランクスである。
【考案の開示】
【考案が解決しようとする課題】
【０００３】しかしながら、以上の技術によればゆったり感とフィット感の両方を求めることは出来なかった。そこでこの考案は前身ごろにはゆったり感をもたせ後ろ身ごろにフィット感をもたせた男性用トランクスを提供することを課題とする。
【課題を解決するための手段】
【０００４】以上の課題を解決するために、前身ごろに伸縮性の少ない素材を使用しゆったりした空間を設け、後ろ身ごろに伸縮性の多い素材を使用することによりフィットする状況を作ったことを特徴とする。
【考案の効果】
【０００５】以上の構成であるから陰嚢部分の通気が良く、亀頭部分への摩擦は早漏の防止にもつながる。また尻全体はフィットするため保温効果と体型の維持ができる。
【考案を実施するための最良の形態】
【０００６】この考案の実施形態を図に示す。
図の１は伸縮性の少ない織物素材に前開き部分を設け縫製。図の２の伸縮性の多い編み物素材を図の３の部分で縫い合わす。
【図面の簡単な説明】
【０００７】
【図１】  本考案の斜視図である。
【符号の説明】
【０００８】  １は前身ごろ    ２は後ろ身ごろ    ３は縫製部分
【図１】
0003125775.tif 000003
【手続補正書】
【提出日】平成18年6月23日(2006.6.23)
【手続補正１】
【補正対象書類名】実用新案登録請求の範囲
【補正対象項目名】全文
【補正方法】変更
【補正の内容】
【実用新案登録請求の範囲】
【請求項１】
伸縮性の少ない織物素材１を前身ごろに使用し、伸縮性の多い編み物素材２を後ろ身ごろに使用した男性用トランクス。
(57)【要約】      （修正有）【課題】つる茎の植物を、小さく簡潔に治めて栽植する、ラセン状の栽植の手を提供する。【解決手段】主柱の矢先を、ネジ山にして土中にねじ込み、その主柱にラセン状を組みあわせる事で、ラセン状のつるの手ができて、竿やひもそして網などの様に高くならない主柱の範囲内で、長いつる茎がラセン状を巻きつきながら効率よく治まって伸びてゆき、容姿の小さい簡潔で合理的なつる茎の手を設ける。鉢植えの場合は、朝顔やつたなど成長したままでも、何処でも自由に好きな処に移すことができて、観賞用として楽しみを頂くことも、その範囲である。【選択図】図１
0003125777.tif 000002
【実用新案登録請求の範囲】
【請求項１】
主柱にラセン状を組みあわせた、ラセン状の栽植の手。
【請求項２】
主柱を、土中へ容易に埋め込めるように、矢先ネジをつけた請求項１。
【考案の詳細な説明】
【技術分野】
【００１】他の物に付着したり、巻き付いたりしながら伸びてゆく、つる茎の植物を、小さく簡潔に治めて栽植する、ラセン状の栽植の手である。
【技術背景】
【００２】従来、長い竿やひも、網などを利用して、軒先や高所に手間をかけて、つる茎の手を組み立てているのである。
【考案の開示】
［考案が解決しょとする課題］
【００３】朝顔やつたなどのつる茎の手を作るために、長い竿やひも、網などを軒先や高いところに設ける作業は、手間で煩わしくて不安全な作業である。
【００４】風雨に強くあおられて、飛んだり倒れたりすると危険も伴い、周辺にも迷惑をかけることになる。
【００５】朝顔やつたなどのつる茎が長く、そして広がってしまうとその場所を専有してしまい、その場所から移動ができなくなる。
［考案が解決するための手段］
【００６】つる茎が、長い竿やひもに巻き付きながら伸びてゆく分を、ラセン状の手にかえることによって長さや高さを、抑制することができるのである。
【００７】風雨にあおられないように、主柱を土中にしっかりと入れ込むために矢先にネジ山をつけると、槌を使わなくても容易に土中にねじ込むことができて、そして３方向からサポート（支え）をすることで支柱がしっかりと固定する。
【００８】ラセン状のつる茎の手は、全体の容姿を小さく抑制できるので鉢植えした場合、朝顔などつる茎が長く成長した状態でも、場所を移動ができることに気づいた。
【考案の効果】
【００９】主柱の矢先をネジ山にして土中にねじ込み、サポートで主柱を固定して、その主柱にラセン状を組み合わせることで、ラセン状の栽植の手が、容易に完了するのである。
【０１０】主柱を軸に、円を画きラセン状が伸びてゆく分だけ、竿やひも、また網の様に高くならない主柱の範囲内で、ラセン状の長さが効率よく治まり、容姿が小さくなり簡潔で合理的なラセン状の栽植の手として、完成するのである。
【０１１】長く広く成長して場所を専有してしまう、朝顔やつたなどのつる茎は、鉢植えにしてもその場所から移動ができない、しかし、本考案のラセン状の栽植の手を活用することで、その不具合はなくなり簡潔に治まって、いつでもどこにでも自由に好きな場所に移動ができ、間近に置けば散水など手入れも容易になり、観賞用としても大変に楽しめるのである。
【考案を実施するための最良の形態】
【０１２】本つる茎の栽植の手は、主柱とサポート、ボス、リブそしてラセン状（バネ状）の５部品で、効率よく簡潔に構成したものである。【０１３】主柱は、成長するつる茎の重みや雨風に耐えるためにも、矢先をネジ加工して上端のボスでもって土中にねじ込み、同時に３方のサポートで土中に差し手をする事で、しっかりと固定するのである。【０１４】ラセン状は、上端ボスから下部サポートに、それぞれ取り付け穴に通して固定する。【０１５】ラセン状の中腹付近を、しっかり固定するために、主柱とラセン状をリブで固定することで、つる茎の栽植の手が、しっかりと完成するのである。【０１６】材料は、薄型鋼や鋼線にメッキやビニール被覆加工をして腐植や錆止めの防止を施す。
【実施例】
【０１７】ラセン状の形状は、その形状の形をかえることで、円形の他に三角や長角形など観賞的で意匠的な価値向上のために、その好みや個性をだす自由な選択ができるのである。【０１８】組み立てたラセン状の手が、円形の場合の全体の大きさとラセン状の延べの長さは、例えば、
円形：０，３ｍ、ラセンピツチ：０，１ｍ、主柱高さ：０，８ｍで、ラセン状の延べの長さは：７，６ｍにまでなるのである。
ちなみに、朝顔やつたのつる茎の成長は：６，０ｍエンドウやキュウリは約：２，０ｍ位の成長で、ころあいである。
他にふじ、クロトン、ところ、テッセンなどの、つる茎科の手に効用である。
【産業上の利用可能性】
【０１９】本考案は、緑と美化風潮が盛り上がってる情勢から、そのラセン状の栽植の手の製造分野と園芸分野の産業に、寄与できるのである。
【図面の簡単な説明】
【０２０】
【図１】本考案の外観斜視図。
【図２】縦断面図。
【符号の説明】
１          主柱
２          サポート
３          ボス
４          リブ
５          ラセン状
６          ラセンピッチ
【図１】
0003125777.tif 000003
【図２】
0003125777.tif 000004
【手続補正書】
【提出日】平成18年7月3日(2006.7.3)
【手続補正１】
【補正対象書類名】図面
【補正対象項目名】図３
【補正方法】追加
【補正の内容】
【図３】
0003125777.tif 000005
【手続補正書】
【提出日】平成18年7月3日(2006.7.3)
【手続補正１】
【補正対象書類名】図面
【補正対象項目名】図２
【補正方法】変更
【補正の内容】
【図２】
0003125777.tif 000006
【手続補正書】
【提出日】平成18年7月3日(2006.7.3)
【手続補正１】
【補正対象書類名】図面
【補正対象項目名】図１
【補正方法】変更
【補正の内容】
【図１】
0003125777.tif 000007
【手続補正書】
【提出日】平成18年7月3日(2006.7.3)
【手続補正１】
【補正対象書類名】明細書
【補正対象項目名】０２０
【補正方法】追加
【補正の内容】
【０２０】
【図１】本考案の外観斜視図
【図２】断面図
【図３】構造斜視図
【符号の説明】
１          主柱
２          サポート
３          ボス
４          リブ
５          ラセン状
６          ラセンピツチ
７          矢先ネジ
８          サポートのロツク
９          リブの先端ニツプ
１０          ラセンの接続孔
【手続補正書】
【提出日】平成18年7月3日(2006.7.3)
【手続補正１】
【補正対象書類名】実用新案登録請求の範囲
【補正対象項目名】全文
【補正方法】変更
【補正の内容】
【実用新案登録請求の範囲】
【請求項１】
主柱を軸にして、下段の支えサポートから上端ボスとの間に、鋼鉄線質のラセン状を接続しリブで固定して設けた、立ち上がり形のラセン状の栽植の手。
【請求項２】
主柱が、土中へ容易に埋め込めるため矢先ネジをつけて、土中にくい込みと比例してサポートの差し手も働いて、土面に主柱とラセン状をしつかりと安定さすことを、特徴とする請求項１記載のラセン状の栽植の手。
(57)【要約】【課題】      従来は、細長い板を丸めた指輪の形状なので単体では色々な指の太さへのサイズ適応がでず、ツボへの圧力が乏しい。【解決手段】  多頂角の星型に成形された弾性ある鋼鉄を、コイル状に巻きながら環状に成形する、という構造をもつ。【選択図】図１
0003125771.tif 000002
【実用新案登録請求の範囲】
【請求項１】
多頂角の星型に成形された弾性ある鋼鉄を、コイル状に巻きながら環状に成形したリング。これを手足の指・手足の爪のはえ際・手首・足首などに巻いてローリングすることにより身体のツボを刺激したり、血行促進効果や自立神経の安定を促す、星型コイルのツボ押し及びマサージ健康リングである。
【請求項２】
請求項１における、本体の素材に金または白金または銀をメッキにすることにより装飾性を持つ、星型コイルのツボ押し及びマサージ健康リング。
【請求項３】
請求項１における、本体の素材をゲルマニウムまたはチタンにしたイオン効果と金属アレルギーの防止を持つ、星型コイルのツボ押し及びマサージ健康リング。
【請求項４】
請求項１における、本体の素材を形状記憶合金にすることによる形状の安定性を持つ、星型コイルのツボ押し及びマサージ健康リング。
【請求項５】
請求項１における、本体の素材にゲルマニウムまたはチタンのメッキとラジウムを樹脂コーティングすることによるイオン効果を持った、星型コイルのツボ押し及びマサージ健康リング。
【考案の詳細な説明】
【技術分野】
【０００１】  本考案は、多頂角の星型に成形されな弾性ある鋼鉄をコイル状に巻きながら環状に成形し、これを手足に巻いてローリングすることにより身体のツボを刺激したり、血行促進効果や自立神経の安定を促す、星型コイルのツボ押し及びマサージ健康リングである。
【背景技術】
【０００２】  指輪の内側に突起物並びに磁器を設けた、健康リングがある。
【特許文献１】  登録実用新案第３０３９８３３号
【考案の開示】
【考案が解決しようとする課題】
【０００３】  細長い板を丸めた指輪の形状なので単体では色々な指の太さへのサイズ適応がでず、ツボへの圧力が乏しい。
【課題を解決するための手段】
【０００４】  多頂角の星型に成形された弾性ある鋼鉄を、コイル状に巻きながら環状に成形する、という構造をもつ。
【考案の効果】
【０００５】  多頂角の星型に成形された弾性ある鋼鉄がコイル状に巻きながら環状に成形されているので、手足の指先などに巻いてローリングすることにより多頂角が施術部を圧迫してツボ押し効果とマッサージ効果をあげることができる。また伸縮性のあるコイル状なので巻く身体部分より内径の小さなリングにすることにより、リング自身の縮もうとする内向きの力が発生し施術部をほど良く圧迫してツボ押し効果とマッサージ効果をあげることができる、ツボ押し及びマサージ健康リングである。
【実施例１】
【０００６】  以下、本考案の実施の形態について説明する。
弾性ある鋼鉄を一定の長さと一定の角度をもって曲げることを繰り返しながら図２の八頂角本体の断面図（７）のようにコイル状に巻き、それを環状に成形して星形コイル本体（１）となる。これを図１と図２及び、図４と図５と図６のように手の指（２）や足の指や手足の爪のはえ際・手首・足首などに巻いて図３のようにローリングすることにより身体各所のツボを刺激したり、マッサージ効果による血行促進や自立神経の安定を促す健康リングとなる。
星形のパターンは、図７の五頂角コイル本体（３）、図８の七頂角コイル本体（４）、図９の八頂角コイル本体（５）、図１１の九頂角コイル本体（７）、図１２の十頂角コイル本体（８）、図１３の十二頂角コイル本体（９）、図１４の十八頂角コイル本体（１０）のような一筆書きで星形を形成する正多頂角形から、１〜８９度までの任意の角度による多頂角形がある。頂角の角度と密度の違いにより様々な施術感覚が得られ、頂角の開き角度が狭くなれば接地肌の圧迫感が強くなり、頂角の開き角度が広くなれば接地肌の圧迫感が弱くなる傾向にある。まな多頂角数が多くなるほど、頂角一つ当たりの圧迫感が弱くなる傾向にある。
【図面の簡単な説明】
【０００７】
【図１】本考案の星形コイル本体を差し込む前の側面図である。
【図２】本考案の星形コイル本体を差し込んだ側面図である。
【図３】本考案の星形コイル本体を差し込みローリングしている断面図である。
【図４】本考案の星形コイル本体を差し込む前の正面図である。
【図５】本考案の星形コイル本体を差し込む直前の正面図である。
【図６】本考案の星形コイル本体を差し込み後の正面図である。
【図７】本考案の星形コイル本体の一例の正面図である。
【図８】本考案の星形コイル本体の一例の正面図である。
【図９】本考案の星形コイル本体の一例の正面図である。
【図１０】本考案の星形コイル本体の断面図である。
【図１１】本考案の星形コイル本体の一例の正面図である。
【図１２】本考案の星形コイル本体の一例の正面図である。
【図１３】本考案の星形コイル本体の一例の正面図である。
【図１４】本考案の星形コイル本体の一例の正面図である。
【符号の説明】
【０００８】１  星形コイル本体
２  指
３  五頂角コイル本体
４  七頂角コイル本体
５  八頂角コイル本体
６  八頂角コイル本体の断面図
７  九頂角コイル本体
８  十頂角コイル本体
９  十二頂角コイル本体
１０  十八頂角コイル本体
【図１】
0003125771.tif 000003
【図２】
0003125771.tif 000004
【図３】
0003125771.tif 000005
【図４】
0003125771.tif 000006
【図５】
0003125771.tif 000007
【図６】
0003125771.tif 000008
【図７】
0003125771.tif 000009
【図８】
0003125771.tif 000010
【図９】
0003125771.tif 000011
【図１０】
0003125771.tif 000012
【図１１】
0003125771.tif 000013
【図１２】
0003125771.tif 000014
【図１３】
0003125771.tif 000015
【図１４】
0003125771.tif 000016
【手続補正書】
【提出日】平成18年6月30日(2006.6.30)
【手続補正１】
【補正対象書類名】実用新案登録請求の範囲
【補正対象項目名】全文
【補正方法】変更
【補正の内容】
【実用新案登録請求の範囲】
【請求項１】
多頂角の星型に成形された弾性ある鋼鉄を、コイル状に巻きながら環状に成形した、星型コイルのツボ押し及びマサージ健康リング。
【請求項２】
請求項１における、本体の素材に金または白金または銀をメッキにすることにより装飾性を持つ、星型コイルのツボ押し及びマサージ健康リング。
【請求項３】
請求項１における、本体の素材をゲルマニウムまたはチタンにしたイオン効果と金属アレルギーの防止を持つ、星型コイルのツボ押し及びマサージ健康リング。
【請求項４】
請求項１における、本体の素材を形状記憶合金にすることによる形状の安定性を持つ、星型コイルのツボ押し及びマサージ健康リング。
【請求項５】
請求項１における、本体の素材にゲルマニウムまたはチタンのメッキとラジウムを樹脂コーティングすることによるイオン効果を持った、星型コイルのツボ押し及びマサージ健康リング。
(57)【要約】【課題】  ドア錠装置における錠カバーに関し、いたずらや雨ざらしを防止するために、扉に取り付けられたドア錠装置本体の屋外側施錠操作部を容易に被覆できる防犯用錠カバーを提供する。【解決手段】  本考案の防犯用錠カバーは、扉１に取り付けられたドア錠装置本体２の屋外側施錠操作部３の全体を被覆する着脱自在に装着できるケース４において、該ケース４裏面に鉤爪５を突出するように設け、さらには該鉤爪５が該ドア錠装置本体２の該屋外側施錠操作部３に備わるノブ６に引っ掛かるよう該ケース４を被せて押し動かし、係合させて固定して装着することを特徴とした。【選択図】図１
0003125797.tif 000002
【実用新案登録請求の範囲】
【請求項１】
防犯用錠カバーであって、扉に取り付けられたドア錠装置本体の屋外側施錠操作部の全体を被覆する着脱自在に装着できるケースにおいて、該ケース裏面に鉤爪を突出するように設け、さらには該鉤爪が該ドア錠装置本体の該屋外側施錠操作部に備わるノブに引っ掛かるよう該ケースを被せて押し動かし、係合させて固定して装着することを特徴とした防犯用錠カバー。
【考案の詳細な説明】
【技術分野】
【０００１】  本考案は、ドア錠装置における防犯用錠カバーに関するものである。
【背景技術】
【０００２】  従来より、ドア錠装置における防犯用錠カバーは、扉に取り付けられたドア錠装置本体の屋内側に備わるサムターンと呼ばれる施解錠つまみを被覆するものが多く提案されている（例えば、特許文献１参照）。
【特許文献１】特許公開２００４−２１８２７８号広報
【考案の開示】
【考案が解決しようとする課題】
【０００３】  しかしながら、上述の方法では、扉に取り付けられたドア錠装置本体の屋外側に備わる施錠操作部はまったく無防備であり、いたずらや不正解錠されたり、野外に於いては雨ざらしであることから故障や凍結により施解錠の不具合が発生するなどの問題点を有していた。【０００４】本考案は、上記従来有する問題点に鑑み、ドア錠装置における錠カバーに関し、いたずらや雨ざらしを防止するために、扉に取り付けられたドア錠装置本体の屋外側施錠操作部を容易に被覆できる防犯用錠カバーを提供しようとするものである。
【課題を解決するための手段】
【０００５】  本考案の防犯用錠カバーは、扉１に取り付けられたドア錠装置本体２の屋外側施錠操作部３の全体を被覆する着脱自在に装着できるケース４において、該ケース４裏面に鉤爪５を突出するように設け、さらには該鉤爪５が該ドア錠装置本体２の該屋外側施錠操作部３に備わるノブ６に引っ掛かるよう該ケース４を被せて押し動かし、係合させて固定して装着することを特徴とした。
【考案の効果】
【０００６】  本考案によれば、煩わしい作業を必要とすることなく、ドア錠装置本体の屋外側施錠操作部を容易に被覆して、いたずらや雨ざらしを防止することが期待され、防犯や保全の効果をさらに向上させることができる。
【考案を実施するための最良の形態】
【０００７】  以下、本考案の実施の形態について、図面を参照して説明する。
図１に示すように、本考案の防犯用錠カバーは、扉１に取り付けられたドア錠装置本体２の屋外側施錠操作部３の全体を被覆する着脱自在に装着できるケース４において、該ケース４裏面に鉤爪５を突出するように設け、さらには該鉤爪５が該ドア錠装置本体２の該屋外側施錠操作部３に備わるノブ６に引っ掛かるよう該ケース４を被せて押し動かし、係合させて固定して装着することを特徴とした。
【図面の簡単な説明】
【０００８】
【図１】  本考案に於ける防犯用錠カバーの装着使用例を示した概略図である。
【図２】  図３のＡ−Ｂ矢視断面図である。
【図３】  本考案に於ける防犯用錠カバーの実施例を示した背面図である。
【図４】  本考案に於ける防犯用錠カバーの実施例を示した正面図である。
【符号の説明】
【０００９】  １    扉
２    ドア錠装置本体
３    屋外側施錠操作部
４    ケース
５    鉤爪
６    ノブ
【図１】
0003125797.tif 000003
【図２】
0003125797.tif 000004
【図３】
0003125797.tif 000005
【図４】
0003125797.tif 000006
(57)【要約】【課題】従来の器では染毛剤を加熱するとき、湯煎などの技術を用いるが、適当な温度に加温することが困難である。また、湯煎時に高温の湯を使用しなければならず、火傷の危険があり、さらに染毛剤塗布中、保温できず、時間の経過とともに、染毛剤の温度が低下してしまうことなどの不都合の解消。【解決手段】染毛剤を入れるためのくぼみ１を設けた二重構造の器の空間部に蓄熱剤２を充填した器を、染毛剤混合前に電子レンジにて加熱しておくことで、染毛剤混合時に蓄熱剤の熱により染毛剤が適度に加熱され染毛剤塗布中も適温が保たれる。【選択図】図１
0003125793.tif 000002
【実用新案登録請求の範囲】
【請求項１】
二重構造の空間部に蓄熱剤を充填していることを特徴とする染毛剤加熱保温器
【考案の詳細な説明】
【技術分野】
【０００１】  本考案は頭髪染毛剤を加熱保温するための器に関する。
【背景技術】
【０００２】  従来の器は一重構造で頭髪染毛剤を加熱することが困難であり、さらに保温することが不可能であった。
【考案の開示】
【考案が解決しようとする課題】
【０００３】  従来の器では湯煎などの技術により加熱することは可能だが、使用する湯の温度、湯煎する時間により毎回一定の温度にすることが困難であり、高温の湯を使用するため火傷の危険がある。さらに保温することが不可能である。
【課題を解決するための手段】
【０００４】  そこで、二重構造の空間部に蓄熱剤を充填した染毛剤加熱保温器を考案した。（図１）
【考案の効果】
【０００５】  本考案の染毛剤加熱保温器を染毛剤混合前に、電子レンジにて一定時間加熱しておくことにより、空間部に充填された蓄熱剤が容易に一定の温度に加熱され、湯煎などの技術を使用せずに、染毛剤混合時に染毛剤を加熱することができる。また、蓄熱剤は湯より比熱が高いので、時間経過による温度低下が少なく染毛剤が長時間保温される。
【考案を実施するための最良の形態】
【０００６】  本考案に係る染毛剤加熱保温器は、図１に示すように、染毛剤を入れるための半球状のくぼみ１を備えている、そして密閉した二重構造空間部分に蓄熱剤２を充填している。また、くぼみ部分は熱伝導率を高めるためにその他の部分より肉厚を薄くし、素材は、染毛剤がアルカリ性または弱酸性を示すので耐薬品性の高い樹脂で形成することが望ましい。
使用時は、まず染毛剤加熱保温器を電子レンジにて適当な時間加熱する。その後、染毛剤をくぼみ１部分で刷毛もしくは攪拌棒などで混合しながら適温まで加熱し塗布作業を行う。
【図面の簡単な説明】
【０００７】
【図１】  本考案に係る染毛剤加熱保温器の断面図である。
【図２】  本考案に係る染毛剤加熱保温器の斜視図である。
【符号の説明】
【０００８】  １        染毛剤を入れるためのくぼみ
２        蓄熱剤
【図１】
0003125793.tif 000003
【図２】
0003125793.tif 000004
(57)【要約】【課題】水道配管内にスプリンクラーヘッドを取付けても管内の水を汚濁させない継手を開発し、屋内水道配管を利用した低コストなスプリンクラー設備を実用化することである。【解決手段】水平方向に穿設した入水口側通水路を下方向に曲設し、下部に穿設したスプリンクラーヘッド取付部付近で出水口側通水路と交わる形状を特徴とする継手。【選択図】図１
0003125796.tif 000002
【実用新案登録請求の範囲】
【請求項１】
主体の側端に穿設した入水口側通水路を下方向に曲設し、下部に穿設したスプリンクラーヘッド取付部付近で、出水口側通水路と交わるスプリンクラー継手。
【考案の詳細な説明】
【技術分野】
【０００１】この考案はスプリンクラー用継手に関するものである。
【背景技術】
【０００２】スプリンクラー消火設備は火災時のみ作動するため、スプリンクラー配管内の水は汚濁する。このため飲用水として使用する水道配管とスプリンクラー専用の配管は別に設置する必要があり、多大な工事費を要した。
この多大な工事費がスプリンクラー消火設備の欠点であった。
【考案の開示】
【考案が解決しようとする課題】
【０００３】本考案者はスプリンクラー専用配管を省略し、水道配管内にスプリンクラーヘッドを取付けても管内の水を汚濁させない継手を開発する研究を重ねた。
【課題を解決するための手段】
【０００４】本考案はスプリンクラーヘッド取付部付近の水が汚濁しないよう、次の手段をとった。
水平方向に穿設した入水口側通水路を下方向に曲設し、下部に穿設したスプリンクラーヘッド取付部付近で出水口側通水路と交わる形状の継手。
以上の構成よりなるスプリンクラー継手である。
【考案の効果】
【０００５】本考案の継手は以上の形状により構成されるため、水道配管内に組み込み、末端に設けた水栓を開放すると、継手内部に次のような水流運動が起きる。
水平方向に穿設された入水口より通水された水流は、下方向に曲設された通水路内壁に衝突することにより水流方向を変更し、下方向に穿設されたスプリンクラーヘッド取付部に満たされる水を強制的に循環させることが出来た。
従って水道水が汚濁することはない。
この継手を使用することにより、水道配管内にスプリンクラーヘッドを直接取付けられ、低コストでスプリンクラーを設置出来る。
【考案を実施するための最良の形態】
【０００６】以下、本考案の実施例について説明する。
水道配管の途中に本考案である継手とスプリンクラーヘッドを設置し、管末に水栓等を設ける。管末に設置した水栓を開放すると、本考案である継手の入水口より通水された水流は、下方向に曲設した通水路内壁に衝突することにより水流方向を変更し、スプリンクラーヘッド取付部に満たされた水は上部からの水流によりかくはんしながら強制的に循環し、管末の水栓より流出する。
従って管内の水が汚濁することはない。
水道管内は常時圧力が保持されるため、火災時にスプリンクラーは作動、消火活動を行う。
【図面の簡単な説明】
【０００７】
【図１】本考案の継手縦断面図
【図２】本考案の継手正面図
【図３】本考案の継手側面図
【図４】本考案の継手平面図
【図５】本考案の継手底面図
【図６】本考案の継手の取付配管図
【符号の説明】
１は主体
２は入水口
３は出水口
４は入水口側通水路
５は出水口側通水路
６はスプリンクラーヘッド取付部
７スプリンクラーヘッド
８水栓
９水道管
１０建築物
【図１】
0003125796.tif 000003
【図２】
0003125796.tif 000004
【図３】
0003125796.tif 000005
【図４】
0003125796.tif 000006
【図５】
0003125796.tif 000007
【図６】
0003125796.tif 000008
(57)【要約】      （修正有）【課題】本考案は、灯油タンク本体にホースポンプ収納室を設けたもので、給油後油がホースポンプについている油によって汚れることがありホースポンプをどこにでも置くことが出来ず灯油タンクと別な場所に置くことが多く、必要なときは不便なことが多々あった。本考案の灯油タンクにより、ホースポンプでの油汚れの心配もなく容易に給油することが出来るようになる。【解決手段】灯油タンク使用のポリエチレン素材にて一体化形成された灯油タンク１、ホースポンプ８の収納スペースを灯油タンク１の角に設けて、収納室５の中にたまった汚れの排出口４を構成されたものである。【選択図】図３
0003125791.tif 000002
【実用新案登録請求の範囲】
【請求項１】
灯油タンク本体にホースホンプ収納室を設けた灯油タンク
【考案の詳細な説明】
【技術分野】
【０００１】  本考案は、灯油タンク内にホースポンプを収納するために設けた灯油タンクに関するものである。
【背景技術】
【０００２】  灯油をホースポンプで給油後別な場所にホースポンプは別な場所に置いてることが多く大変不便である。
【考案の開示】
【考案が解決しようとす課題】
【０００３】  ホースポンプ使用後、ホースに油がついているため灯油タンクと別な場所に置くことが多く必要なときホースポンプが見らず、不便なことが多かった。
【課題を解決するための手段】
【０００４】  本考案は、灯油タンク本体に収納室を設けたものである。
【考案の効果】
【０００５】  上記の様に、本考案の灯油タンク内に、ホスポンプが収納出来るため、いっでも容易に給油することが出来るようになった。
【考案の実施するための最良の形態】
【０００６】  灯油タンクの角に、ホースポンプを入れるスペースを設て、差し込んで収納する講成である、油室とホースポンプ収納室はくぎってあるのでなんらの支障にならない。
【実施例】
【０００７】  以下、添付図面に従って一実施例を説明する。灯油タンク使用のポリエチレン素材にて一体化形成された灯油タンク１、ホースポンプ８の収納スペースを灯油タンク１の角に設けて、収納室５の中にたまった汚れの排出口４を構成されたものである。
【図面の簡単な説明】
【０００８】
【図１】  本考案の平面図である。
【図２】  本考案の正面図である。
【図３】  本考案の実施例を示す斜視図である。
【符号の説明】
【０００９】  １  灯油タンク本体
２  キャップ
３  取手
４  排出口
５  ホースポンプ収納室
６  排出口キヤップ
７  脚
８  ホースポンプ
【図１】
0003125791.tif 000003
【図２】
0003125791.tif 000004
【図３】
0003125791.tif 000005
(57)【要約】      （修正有）【課題】丸玉及びバネを利用した建物等の免震機。【解決手段】取り付け作業容易なボルト１にバネ３を差込み、座金２で押さえ大玉６に小玉５を周囲に入れ、玉押４さえカバーで大玉６を押さえて土台１０にセットする。大玉用の受け皿７は、玉の回転を良くし、地震後は元の定位置に戻るよう皿部を丸めてある。受け皿に溜まる水は排水穴９で排水する。【選択図】図３
0003124565.tif 000002
【実用新案登録請求の範囲】
【請求項１】
（イ）ボルト（１）にバネ（３）を差し込み、座金（２）でおさえ、大玉（６）に小玉（５）を周囲に入れて玉おさえカバー金具（４）をかぶせて大玉（６）をおさえ、土台（１０）にセットする。
（ロ）大玉受け受け皿（７）は大玉回転を良くし地震後は元の位置に戻るよう皿部を丸めてある。
（ハ）大玉受け受け皿（７）には水抜き穴（９）が設けてある。
上記（イ）（ロ）（ハ）の構造よりなる建物免震機。
【考案の詳細な説明】
【技術分野】
【０００１】  本考案は、玉を利用したローラー式で地震時に建物等に与える振動を上下、前後、左右に抑える。バネ、玉付きローラー式であり、大玉の周囲に小玉を入れ、玉の回転を良くする。また、玉の下に受け皿を置き、地震が終わると元の正常な位置に戻る。建物等の重量を十分に支えるバネを考え、柱の下等の位置を考えて設置する。
【背景技術】
【０００２】  従来は、多様な作品が多かったが複雑な構造が多く利用度が少なかった。
【考案の開示】
【特許文献１】  特許公開２００２−１６１９４２
【特許文献２】  特許公開２０００−８０７５８
【考案が解決しようとする課題】
【０００３】  基礎の上に玉を利用した免震機を受ける皿を配置し、玉が横揺れに可能な様に考えた。また、地震が終わると元の正常な位置に戻る。バネは、ボルトをはめ込み上下の振動を和らげる構造である。免震機の土台に取付ける作業が容易で、大玉の周りに小玉を入れるのは大玉の回転を良くする為である。
【課題を解決するための手段】
【０００４】  予想可能な地震に対し、建物等を破壊から安全に守る効果が大きい。
【考案の開示】
【０００５】  以下、考案の形態について説明する。
丸玉のコロ状を利用し、バネをセットしたローラー式の免震機を考えた。バネは上下振動を和らげ、玉は前後、左右の振動を和らげるようにした。また、玉の下は受け皿は地震後元の正常地に戻り、さらに受け皿の下に穴を開け、溜まり水を排水できるようにした。
【図面の簡単な説明】
【０００６】
【図１】  本考案の正面図である。
【図２】  本考案の断面図である
【図３】  本考案を建物等に設置した場合の斜視図である。
【符号の説明】
【０００７】１    ボルト
２    座金
３    バネ
４    玉押さえカバー
５    小玉
６    大玉
７    受け皿（大玉用）
８    ナット
９    排水穴（受け皿用）
１０  土台
１１  建築基礎
１２  建築柱
【図１】
0003124565.tif 000003
【図２】
0003124565.tif 000004
【図３】
0003124565.tif 000005